(57)【要約】【課題】保持体の両端部の連結を容易に解除することができ、保持体の両端部の連結強度を高めて被保持物の紛失を確実に防止できる連結具を提供する。【解決手段】被取付物に取り付けられる取付体８と、両端部を連結することで被保持物を保持可能な環状となる保持体１０を備える。保持体１０の両端部を連結状態でロックするロック手段と、該ロック手段によるロックを解除するための解除操作部４０を備える。【選択図】図１
2010249196.tif 000002
【特許請求の範囲】
【請求項１】
被取付物に取り付けられる取付体と、両端部を連結することで被保持物を保持可能な環状となる保持体と、保持体の両端部を連結状態でロックするロック手段と、前記ロック手段によるロックを解除するための解除操作部を備えることを特徴とする連結具。
【請求項２】
前記ロック手段として、保持体の一端部に係止突起が形成されると共に、保持体の他端部に前記係止突起が挿入される挿入凹部が形成され、挿入凹部に挿入された係止突起が係止して該係止突起の挿入凹部からの抜け止めをはかるロック部が形成され、前記係止突起に解除操作部が接続され、前記係止突起がロック部に係止して係止突起が挿入凹部に挿入された状態において、解除操作部が挿入凹部から係止突起が抜け出る方向とは異なる方向に操作されたときに、前記係止突起がロック部に対して係止が外れることを特徴とする請求項１に記載の連結具。
【請求項３】
一体の合成樹脂成形品からなることを特徴とする請求項１又は請求項２に記載の連結具。
【発明の詳細な説明】
【技術分野】
【０００１】
本発明は被取付物と被保持物を連結する連結具に関する。
【背景技術】
【０００２】
従来から、名札、名刺、入場許可証等のカードを収容するカードホルダを、クリップ付きリールや、ループ状の掛け紐、衣類等からなる被取付物に連結するための連結具が用いられている。
【０００３】
この種の連結具として、特許文献１には、両端部を連結することで被保持物を保持可能な環状とされるベルト状の保持体（ベルト形基板）を備えたものが開示されている。
【０００４】
前記保持体の一端部にはオス突起が形成され、保持体の他端部にはオス突起が挿入されるメス孔が形成され、オス突起の先端部は抜け止めのためにメス孔よりも大径の膨大部が形成されている。
【先行技術文献】
【特許文献】
【０００５】
【特許文献１】特開２００４−１１７５０１号公報
【発明の概要】
【発明が解決しようとする課題】
【０００６】
前記オス突起とメス孔による保持体の両端部の連結強度を高めるには、オス突起の膨大部を大きくして係合量を増すことが考えられる。しかし、このように係合量を増加させると、保持体の両端部の連結を外す際に強い力でオス突起をメス孔から引き抜かなければならず、保持体の両端部の連結が解除し難くなる。逆に、膨大部を小径にすれば保持体の両端部の連結強度が弱まり、使用時に保持体の両端部の連結が外れて被保持物を紛失する恐れがある。
【０００７】
本発明は上記従来の事情に鑑みてなされたものであって、保持体の両端部の連結を容易に解除することができ、尚且つ、保持体の両端部の連結強度を高めて被保持物の紛失を確実に防止できる連結具を提供することを課題とする。
【課題を解決するための手段】
【０００８】
上記課題を解決するために本発明の連結具は以下の構成を有する。被取付物に取り付けられる取付体８と、両端部を連結することで被保持物を保持可能な環状となる保持体１０を備える。そして、保持体１０の両端部を連結状態でロックするロック手段と、該ロック手段によるロックを解除するための解除操作部４０を備えることを特徴とする。
【０００９】
また、本発明の好ましい形態では、前記ロック手段として、保持体１０の一端部に係止突起２３が形成されると共に、保持体１０の他端部に前記係止突起２３が挿入される挿入凹部２１が形成される。挿入凹部２１に挿入された係止突起２３が係止して該係止突起２３の挿入凹部２１からの抜け止めをはかるロック部２８が形成され、前記係止突起３８に解除操作部４０が接続される。そして、前記係止突起２３がロック部２８に係止して係止突起２３が挿入凹部２１に挿入された状態において、解除操作部４０が挿入凹部２１から係止突起２３が抜け出る方向とは異なる方向Ｆに操作されたときに、前記係止部３８がロック部２８に対して係止が外れるようにしてある。
【００１０】
また、連結具が一体の合成樹脂成形品からなることが好ましい。
【発明の効果】
【００１１】
本発明にあっては、ロック手段により保持体の両端部を連結状態でロックすることができる。また、このロック手段によるロックは解除操作部を操作することにより解除することができる。このため、ロック手段により係合量を増して保持体の両端部を係止することができ、結果、保持体の両端部の連結強度を高めることができ、大切な被保持物を紛失することを確実に防止できる。
【００１２】
また、連結具を一体の合成樹脂成形品とすると、部品点数・工数を少なくして製造コストを削減できる。
【図面の簡単な説明】
【００１３】
【図１】本発明の実施形態の一例の首掛けストラップを背面側から見た斜視図である。
【図２】同上の連結具４ａを示し、（ａ）は正面図、（ｂ）は側面図、（ｃ）は平面図、（ｄ）は下面図、（ｅ）は背面図である。
【図３】（ａ）は図２（ａ）のＡ−Ａ断面図であり、（ｂ）は図２（ａ）のＢ−Ｂ断面図である。
【図４】同上の連結具４ａを示し、（ａ）は下側から見たときの斜視図であり、（ｂ）は上側から見たときの斜視図であり、（ｃ）は後側から見たときの斜視図である。
【図５】同上の連結具４ａの成形時の形状を示す斜視図である。
【図６】同上の連結具４ｂの成形時の形状を示し、（ａ）は正面図であり、（ｂ）は側面図であり、（ｃ）は（ａ）のＣ−Ｃ断面図である。
【図７】同上の連結具４ｂの成形時の形状を示し、（ａ）は前側から見たときの斜視図であり、（ｂ）は後側から見たときの斜視図である。
【図８】同上のリールと連結具４ａの連結構造を示す断面図である。
【図９】同上のカードとカードホルダを示す正面図である。
【図１０】他例の連結具４ｃを示し、（ａ）は斜視図であり、（ｂ）は挿入凹部における断面図である。
【図１１】同上の連結具４ｃの成形時の形状を示す斜視図である。
【発明を実施するための形態】
【００１４】
以下、添付図面に基づいて本発明の実施形態につき説明する。本実施形態では、名札、名刺、入場許可証等のカード２を吊り下げるための首掛けストラップ１に連結具４ａ、４ｂを用いている。
【００１５】
図１に示すように、首掛けストラップ１は、リール５のコード６に連結具４ａを介してカード２を収容可能なカードホルダ７を連結すると共に、首に掛けられる帯状のストラップ３に連結具４ｂを介してリール５を連結してなり、２種類の連結具４ａ、４ｂが用いられている。
【００１６】
図９に示すように、カード２を出し入れ自在に収容する透明なカードホルダ７の上端部中央には横長の連結用孔１２が形成されている。連結具４ａは連結用孔１２を利用してカードホルダ７に連結される。
【００１７】
図８のようにリール５にはばね等で自動的に巻き取られるコード６が設けられている。コード６はリール５の下端部に設けられた下方に開口する繰り出し口１５から繰り出され、このコード６の繰り出し側の端部に連結具４ａが連結される。
【００１８】
図１に示すようにリール５の上端部には連結部１３が設けられている。連結部１３には連結用孔１２と略同大同形で前後に貫通する連結孔１４が形成されている。連結部１３には連結孔１４を利用して連結具４ｂが連結される。なお、リール５の背面には衣服等に着脱自在に取り付け可能なクリップ部１１が設けられている。
【００１９】
連結具４ａ、４ｂは共にナイロンやポリプロピレン等の合成樹脂で形成された成形品である。各連結具４ａ、４ｂは、被取付物に取り付けられる取付体８と、被保持物を保持する保持体１０とで構成され、取付体８は保持体１０と一体に形成されている。
【００２０】
連結具４ａは取付体８をリール５のコード６に取り付けると共に保持体１０でカードホルダ７を保持することで、リール５とカードホルダ７を連結する。すなわち、連結具４ａにあっては、リール５が被取付物となり、カードホルダ７が被保持物となる。
【００２１】
連結具４ｂは取付体８をストラップ３に取り付けると共に保持体１０でリール５を保持することでリール５とカードホルダ７を連結する。すなわち、連結具４ｂにあっては、ストラップ３が被取付物となり、リール５が被保持物となる。
【００２２】
図２乃至図５を参照してまず連結具４ａにつき詳述する。
【００２３】
図３（ｂ）等に示すように連結具４ａの取付体８は連結具４ａの上端部に形成されている。取付体８には上下に貫通するコード挿通孔１７が形成されている。
【００２４】
連結具４ａの取付体８をリール５のコード６に取り付けるには、例えば図８のようにコード６を上方からコード挿通孔１７に通し、コード挿通孔１７から下方に引き出したコード６の繰り出し側端部に抜け止めのためにコード挿通孔１７の径よりも大きい結び目１８を作る。
【００２５】
連結具４ａの保持体１０は両端部を連結することで被保持物を保持可能な環状にされる。
【００２６】
具体的には、連結具４ａの保持体１０は、側面視で略Ｕ字状に屈曲した帯状部１９と、帯状部１９の一端部となる前片２０の上端部に形成された挿入凹部２１と、帯状部１９の他端部となる後片２２の上端部に形成された係止突起２３とで構成される。係止突起２３は挿入凹部２１に挿入して係止することができ、これにより保持体１０は両端部が連結されて環状となり、且つ、保持体１０の両端部が連結した状態でロックされたロック状態となる。すなわち、係止突起２３と挿入凹部２１は保持体１０の両端部を連結した状態でロックするロック手段を構成している。
【００２７】
帯状部１９は前片２０の下端と後片２２の下端を薄肉の下曲部２４を介して接続してある。帯状部１９は、下曲部２４を曲げて、前片２０と後片２２の下の端面同士を近接対向させて略Ｕ字状とした状態から、前片２０に対して後片２２を後方に離間させて両端部を開いた状態に変形可能となっている。
【００２８】
挿入凹部２１は前片２０の上端部の背面から後方に突出している。挿入凹部２１には後方に開口する挿入穴２５が形成されている。挿入穴２５の後開口は横長の矩形枠状に形成された枠状部２６で形成されている。枠状部２６の上辺部及び下辺部は挿入穴２５の上壁２９及び下壁３０の夫々の後端に接続され、これら枠状部２６、上壁２９、及び下壁３０で挿入凹部２１が構成されている。
【００２９】
枠状部２６の左右の辺部の前方には挿入穴２５を側方に開口せる開口部２７が形成されている。枠状部２６の左右の辺部はロック部２８を構成し、各ロック部２８の前面は鉛直な被係合面１６となっている。
【００３０】
取付体８は挿入凹部２１の上壁２９の左右中央部からブロック状の嵌込部３１を突出して形成される。嵌込部３１の前端は前片２０の上端部に接続されている。
【００３１】
コード挿通孔１７の上端は嵌込部３１の上面に開口し、下端は上壁２９の下面に開口して挿入穴２５に連通している。このため前記コード６の抜け止めをはかる結び目１８は挿入穴２５に配置される。嵌込部３１は図８のようにコード６が巻き取られた状態でリール５の繰り出し口１５に着脱自在に嵌合できるようになっている。
【００３２】
係止突起２３は、後片２２の上端部から前方に突出する突片３３と、突片３３の突出先端部の両側端から後方に突出するアーム３４で構成され、左右対称である。
【００３３】
突片３３の後端面は下方に傾いた傾斜面３５となっている。他方、後片２２の上端中央には上方に突出する連結片３７が形成され、連結片３７の上端面は前方に傾いた傾斜面３６となっている。傾斜面３５の上縁は薄肉の上曲部３２を介して傾斜面３６の上縁に接続されている。突片３３は、上曲部３２を曲げて、両傾斜面３５、３６を近接対向させて前方に突出した状態から、両傾斜面３５、３６を離間させて上方に突出させた状態に回動できる。
【００３４】
両アーム３４は突片３３の左右方向の外側に離間して配置されている。各アーム３４の前部には突片３３と反対側の外側方に突出する係止部３８が形成されている。各係止部３８の後端面が対応するロック部２８の被係合面１６と係合する係合面３９となっている。また、各係止部３８の外側の面は係止突起２３を挿入凹部２１にスムーズに挿入できるようアーム３４の基端側程内側に位置するよう滑らかに傾斜したガイド面となっている。
【００３５】
各アーム３４の自由端側の後端部には突片３３と反対側の外側方に突出する解除操作部４０が形成されており、両解除操作部４０で前記ロック状態を解除するための解除手段を構成する。
【００３６】
両解除操作部４０は前後方向において同位置に配置されている。各解除操作部４０を突片３３側となる内側方に移動すれば、アーム３４は撓んで解除操作部４０に接続された係止部３８も突片３３側に移動する。
【００３７】
連結具４ａの保持体１０でカードホルダ７を保持するには、まず帯状部１９が開いた状態にあるときに、係止突起２３及び後片２２をカードホルダ７の連結用孔１２に通し、この後、係止突起２３を前方から挿入凹部２１の後開口を介して挿入穴２５に挿入する。これにより保持体１０の両端部は連結されて環状をなし、該環状の保持体１０にカードホルダ７の連結用孔１２の上方部が挿通された保持状態となる。
【００３８】
前記係止突起２３を挿入凹部２１に挿入する初期においては、係止突起２３の挿入が進むにつれて、両アーム３４の係止部３８が枠状部２６の左右の辺部（ロック部２８）により内側方に押圧され、両アーム３４は内側方に撓んでいく。
【００３９】
挿入が進んで両係止部３８が対応するロック部２８を乗り越えた時点で、両アーム３４は弾性復帰して両係止部３８が外側方に移動する。これにより、左右のロック部２８が係止部３８と解除操作部４０の間に配置されて、各係止部３８が係合面３９を被係合面１６に係合させて対応するロック部２８に係止される。このロック状態では、各係止部３８の係合面３９が対応するロック部２８の被係合面１６に係合するので、係止突起２３が挿入凹部２１から後方に抜け出ることが防止され、保持体１０の保持状態は確実に維持される。また、各解除操作部４０の突端部は枠状部２６よりも外側方に突出する。
【００４０】
保持状態を解除するには両解除操作部４０を両外側方から同時に指で摘めばよい。このように両解除操作部４０が操作されると、両アーム３４が撓んで各係止部３８が内側方に移動し、各係止部３８の係合面３９と対応するロック部２８の被係合面１６との係合が外れたロック解除状態となる。そして、このロック解除状態で係止突起２３を挿入凹部２１から後方に引き抜けば、保持体１０は帯状部１９を開いた保持解除状態となる。
【００４１】
連結具４ａは、図５のように、前片２０、後片２２、及び係止突起２３がこの順序で一直線状に並べられて且つ略平行に配置された状態で成形されるものであって、これは前記下曲部２４及び上曲部３２を設けたことにより実現されている。このように成形すると、帯状部１９の厚み方向の両側に金型を配置して、製品表面となる前片２０の前面及び後片の後面にパーティングラインが生じないようにできる。さらに、この場合、連結具４ａのコード挿通孔１７や開口部２７以外の箇所はアンダーカットのない形状としてスライド型を用いることなく成形でき、コストを削減できる。
【００４２】
次に図６及び図７を参照して連結具４ｂにつき詳述する。
【００４３】
連結具４ｂは連結具４ａと同じ構成の保持体１０を有し、取付体８の構成のみが連結具４ａと異なる。このため以下では連結具４ａと異なる構成についてのみ説明する。
【００４４】
連結具４ｂには嵌込部３１が形成されておらず、取付体８は、挿入穴２５の上壁２９と、該上壁２９の後端と前片２０の上縁とを接続する接続片４２とで構成され、トンネル状に形成されている。取付体８内には前後に長く左右に貫通するストラップ挿通孔４１が形成されている。
【００４５】
連結具４ｂの取付体８をストラップ３に取り付けるには、図１のようにストラップ挿通孔４１にストラップ３を通せばよい。
【００４６】
連結具４ｂの保持体１０でリール５を保持するには、連結具４ａの保持体１０でカードホルダ７を保持する場合と同様に、係止突起２３及び後片２２をリール５の連結孔１４に通し、この後、係止突起２３を挿入凹部２１に挿入する。これにより環状となった保持体１０に連結部１３における連結孔１４の上方部が挿通された保持状態となる。
【００４７】
また、この連結具４ｂの保持体１０は連結具４ａの保持体１０と同様にカードホルダ７を保持することもできる。このため、ストラップ３に連結具４ｂを介して直接カードホルダ７を連結した首掛けストラップを構成することもできる。
【００４８】
以上説明した連結具４ａ、４ｂは、係止部３８がロック部２８に係止して係止突起２３が挿入凹部２１に挿入された状態において、解除操作部４０が挿入凹部２１から係止突起２３が抜け出る方向（図３中Ｆで示す方向）とは異なる方向に操作されたときに、より具体的には解除操作部４０が係止突起２３が抜け出る方向と略直交する方向に操作されたときに、係止部３８がロック部２８に対して係止が外れる方向に移動し、これにより係止部３８とロック部２８の係止が簡単に外れるようになっている。このため、係止部３８とロック部２８の係合量を増して保持体１０の両端部の連結強度を高めることができ、これによって大切な被保持物を紛失することを防止できる。
【００４９】
次に連結具の変形例につき説明する。
【００５０】
図１０及び図１１に示す変形例の連結具４ｃは連結具４ａと同じ構成の保持体１０を有し、取付体８の構成のみが連結具４ａと異なる。このため、以下では連結具４ａと異なる構成についてのみ説明する。
【００５１】
連結具４ｃは前片２０を挿入凹部２１より上方に延出した延出部４４を備えており、該延出部４４が取付体８を構成している。延出部４４には前後に貫通するコード挿通孔４５が形成されている。コード挿通孔４５には前記リール５のコード６等が挿通され、前記同様、コード６に結び目１８を作ったり、延出部４４に結びつける等して、コード６に延出部４４が取り付けられる。
【００５２】
また、前片２０において、挿入凹部２１両側の開口部２７の前方に位置する部分は切欠４７が形成されている。すなわち、枠状部２６の左右の辺部（両ロック部２８）の前方には何ら成形部分が存在していない。
【００５３】
連結具４ｃも図１１のように前片２０、後片２２、及び係止突起２３がこの順序で一直線状に並べられて且つ略平行に配置された状態で成形され、帯状部１９の厚み方向の両側に金型を配置して成形がなされるものである。
【００５４】
ここで、上記のようにコード挿通孔４５を前後に貫通する孔とすることで、前記金型でコード挿通孔４５を成形できる。また、挿入凹部２１両側の開口部２７にあっても、切欠４７を利用して前記金型で成形することができる。つまり、連結具４ｃは全体がアンダーカットのない形状に形成されたものであり、スライド型を用いることなく成形することができる。
【符号の説明】
【００５５】
４ａ  連結具
４ｂ  連結具
４ｃ  連結具
８  取付体
１０  保持体
２１  挿入凹部
２３  係止突起
３８  係止部
４０  解除操作部
【図１】
2010249196.tif 000003
【図２】
2010249196.tif 000004
【図３】
2010249196.tif 000005
【図４】
2010249196.tif 000006
【図５】
2010249196.tif 000007
【図６】
2010249196.tif 000008
【図７】
2010249196.tif 000009
【図８】
2010249196.tif 000010
【図９】
2010249196.tif 000011
【図１０】
2010249196.tif 000012
【図１１】
2010249196.tif 000013